【事件の表示】
　特願２０１６−２４００３７「表示装置、表示方法、及び、プログラム」拒絶査定不服審判事件〔平成２９年　４月　６日出願公開、特開２０１７−　６８８６５、請求項の数（４）〕について、次のとおり審決する。
【結　論】
　原査定を取り消す。
　本願の発明は、特許すべきものとする。
【理　由】
第１　手続の経緯
　本願は、平成２７年６月１１日に出願した特願２０１５−１１７９１２号の一部を、平成２８年１２月１２日に新たに特許出願したものであって、平成３０年４月６日に手続補正がなされ、平成３１年１月１１日付けの拒絶理由の通知に対し、同年４月５日に意見書が提出されるとともに手続補正がなされたが、令和元年８月１日付けで拒絶査定がなされ、これに対して同年１１月１日に拒絶査定不服の審判請求がなされると同時に手続補正がなされたものである。
　
第２　原査定の理由の概要
　原査定（令和元年８月１日付け拒絶査定）の概要は次のとおりである。
　この出願の請求項１−４に係る発明は、その出願前に日本国内又は外国において、頒布された下記の刊行物１−３に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。　
　　　　　　　　　　　　
１.国際公開第２０１４／０９７４９９号
２.特開２０１１−２２３１６３号公報（周知技術を示す文献）
３.特開２０１０−２４５８４３号公報（周知技術を示す文献）
第３　本願発明
　本願の請求項１−４に係る発明は、令和元年１１月１日付けの手続補正により補正された特許請求の範囲の請求項１−４に記載された事項により特定される発明であり、本願の請求項１−４に係る発明（以下、それぞれ「本願発明１」−「本願発明４」という。）は、以下のとおりの発明である。
「【請求項１】
　タッチパネルに対するユーザによる接触操作に基づいて、表示手段に表示されている画像を自動で他の画像に切替える切替え表示を行う表示装置であって、
　前記タッチパネルに対するユーザの接触操作による接触位置の数が複数であるか否かを判別する判別手段と、
　前記判別手段により接触位置の数が複数であると判別された時点で、前記自動切替え表示を一時停止した後、当該複数の接触位置のうちの何れかの接触位置における、接触状態を一旦解除してから接触状態に戻す接触操作に基づいて、前記切替え表示を制御する制御手段と、
　を備え、
　前記制御手段は更に、前記接触状態を一旦解除してから接触状態に戻す接触操作が、前記タッチパネルに設定された複数の領域のいずれの領域で行われたかに基づいて、前記切替え表示の内容が異なるように制御することを特徴とする表示装置。
【請求項２】
　当該表示装置が表示対象とする画像は所定の基準で配列された静止画像、或いは動画像であって、
　前記制御手段は、前記複数の接触位置のうち前記一旦解除されてから接触状態に戻す接触操作が行われた領域が、前記所定の基準における方向或いは動画像の再生方向と一致するように、前記切替え表示を制御することを特徴とする請求項１に記載の表示装置。
【請求項３】
　タッチパネルに対するユーザによる接触操作に基づいて、表示手段に表示されている画像を自動で他の画像に切替える切替え表示を行う表示装置を用いた表示方法であって、
　前記タッチパネルに対するユーザの接触操作による接触位置の数が複数であるか否かを判別する処理と、
　接触位置の数が複数であると判別された時点で、前記自動切替え表示を一時停止した後、当該複数の接触位置のうちの何れかの接触位置における、接触状態を一旦解除してから接触状態に戻す接触操作に基づいて、前記切替え表示を制御する処理と、
　を含み、
　前記制御する処理は更に、前記接触状態を一旦解除してから接触状態に戻す接触操作が、前記タッチパネルに設定された複数の領域のいずれの領域で行われたかに基づいて、前記切替え表示の内容が異なるように制御することを含むことを特徴とする表示方法。
【請求項４】
　タッチパネルを備える表示装置のコンピュータを、
　前記タッチパネルに対するユーザの接触操作による接触位置の数が複数であるか否かを判別する判別手段、
　前記タッチパネルに対するユーザによる接触操作に基づいて、当該表示装置に表示されている画像を自動で他の画像に切替える切替え表示を行う際に、前記判別手段により接触位置の数が複数であると判別された時点で、前記自動切替え表示を一時停止した後、当該複数の接触位置のうちの何れかの接触位置における、接触状態を一旦解除してから接触状態に戻す接触操作に基づいて、前記切替え表示を制御する制御手段、
　として機能させ、更に、
　前記制御手段は、前記接触状態を一旦解除してから接触状態に戻す接触操作が、前記タッチパネルに設定された複数の領域のいずれの領域で行われたかに基づいて、前記切替え表示の内容が異なるように制御することを特徴とするプログラム。」
第４　引用文献
１．引用文献１・引用発明
　原査定の拒絶理由に引用された引用文献１には、図面とともに次の事項が記載されている。（下線は当審により付与した。以下、同様。）
「［００６５］本実施の形態１では、例えば、図５Ａに示すように、
モニタ１１０に表示される映像コンテンツ１１１を再生制御する電子機器１０
［００６６］（ステップＳ１０１：タッチ情報取得）
 　
タッチ情報取得部１０３は、パネル１０１に対するユーザの複数のタッチ位置を取得する
［００６７］　図５Ａの例では、指１のパネル１０１上のｘ軸上のタッチ位置ｘ１を時刻ｔ１で取得する。タッチ位置ｘ１は例えば１０ｍｓなどのサンプリング間隔で時系列情報として取得する。図５Ｂの例では、指１のパネル１０１上のｘ軸上のタッチ位置ｘ１を時刻ｔ１で取得した後、パネル１０１上で指１のタッチ位置ｘ１が検出されている状態で、時刻ｔ２でタッチ位置ｘ１とは異なる指２による別のｘ軸上のタッチ位置ｘ２を検出する。図５Ｃの例では、パネル１０１上で時刻ｔ１で検出された指２のｘ軸上のタッチ位置ｘ１が検出されている状態で、時刻ｔ２においてｘ軸上のタッチ位置ｘ１とは異なる指１による別のｘ軸上のタッチ位置ｘ２を検出する。」
「［００７７］＜再生設定の入力判定＞
 　入力判定［４］〜入力判定［６］について、図３、図６Ａ，図６Ｂおよび図６Ｃを用いて、再生設定の判定について説明する。タッチ情報取得部１０３により検出されるタッチ数が３のとき、図３に示すように設定情報記憶部１０４に記憶されている再生設定を選択する。次に、３つのタッチ位置の検出順序と空間順序を判定して再生設定を変更する例を説明する。ここでは、第１順序のタッチ位置による入力項目を「巻戻し」、第２順序のタッチ位置による入力項目を「再生／一時停止」の切り替え、第３順序のタッチ位置による入力項目を「早送り」として記憶する例で説明する。図６Ａ、図６Ｂおよび図６Ｃを用いて、パネル１０１上でタッチ位置の検出順序および空間順序の判定をｘ座標上で実行する例で説明する。
［００７８］入力判定［５］について説明する。図６Ａはユーザが「再生／一時停止」の入力を行う例である。まず、
指１、指２、指３がそれぞれタッチ位置ｘ１、ｘ２、ｘ３で検出されている
とき、タッチ数が３であるから、順序入力判定部１０５は、設定情報記憶部１０４に
記憶されている設定情報から、再生設定についての入力であると判定する
指２を一旦パネル１０１から離し、所定の時間内（例えば２００ｍｓ以内）に再度パネル１０１にタッチする入力を行う
このとき、指１および指３によるタッチ位置ｘ１およびｘ３が継続して検出されている状態から、指２による別のタッチ位置ｘ２が検出されることになり、検出順序はｘ２のタッチ位置が最新となる
タッチ位置ｘ１、ｘ２、ｘ３の順序関係は、ｘ１＜ｘ２＜ｘ３であり、ユーザによる指２によるタップ入力は最新の検出順序のタッチ位置ｘ２で、第２順序のタッチ位置となり、
設定情報記憶部１０４に記憶されている「再生／一時停止」の入力項目が選択されたと判定する
［００７９］　入力判定［４］について説明する。図６Ｂはユーザが「巻戻し」の入力を行う例である。まず、
指１、指２、指３がそれぞれタッチ位置ｘ１、ｘ２、ｘ３で検出されている
とき、タッチ数が３であるから、順序入力判定部１０５は、設定情報記憶部１０４に
記憶されている設定情報から、再生設定についての入力であると判定する
指１を一旦パネル１０１から離し、所定の時間内（例えば２００ｍｓ以内）に再度パネル１０１にタッチするタップ入力を行う
このとき、指２および指３によるタッチ位置ｘ２およびｘ３が継続して検出されている状態から、指１による別のタッチ位置ｘ１が検出されることになり、検出順序はｘ１のタッチ位置が最新となる
タッチ位置ｘ１、ｘ２、ｘ３の順序関係は、ｘ１＜ｘ２＜ｘ３となり、ユーザによる指１によるタップ入力は最新の検出順序のタッチ位置ｘ１で、第１順序のタッチ位置となり、
設定情報記憶部１０４に記憶されている「巻戻し」の入力項目が選択されたと判定する
［００８０］　入力判定［６］について説明する。図６Ｃはユーザが「早送り」の入力を行う例である。まず、
指１、指２、指３がそれぞれタッチ位置ｘ１、ｘ２、ｘ３で検出されている
とき、タッチ数が３であるから、順序入力判定部１０５は、設定情報記憶部１０４に
記憶されている設定情報から、再生設定についての入力であると判定する
ユーザは映像コンテンツ１１１を早送りするために、指３を一旦パネル１０１から離し、所定の時間内（例えば２００ｍｓ以内）に再度パネル１０１にタッチするタップ入力を行う
このとき、指１および指２によるタッチ位置ｘ１およびｘ２が継続して検出されている状態から、指３による別のタッチ位置ｘ３が検出されることになり検出順序はｘ３のタッチ位置が最新となる
タッチ位置ｘ１、ｘ２、ｘ３の順序関係は、ｘ１＜ｘ２＜ｘ３となり、ユーザによる指３によるタップ入力は最新の検出順序のタッチ位置ｘ３で、第３順序のタッチ位置となり、
設定情報記憶部１０４に記憶されている「早送り」の入力項目が選択されたと判定する
「［００８４］＜再生設定の設定値変更＞
 　図３、図６Ａ、図６Ｂおよび図６Ｃを用いて、タッチ情報取得部１０３により取得されたタッチ数が３のときの再生設定の設定値を変更する例について説明する。ステップ１０２Ｓにより、
順序入力判定部１０５により、
指２による第２順序のタッチ位置ｘ２による入力項目である「再生／一時停止」が選択されたとき、
再生と一時停止は交互に設定
すなわち、現在の設定値が１（再生）であれば２（一時停止）に、設定値が２（一時停止）であれば１（再生）に設定値を設定する
　上記記載及び図２によれば、引用文献１には、以下の発明（以下、「引用発明」という。）が記載されているといえる。
「モニタ１１０に表示される映像コンテンツ１１１を再生制御する電子機器１０であって、
　タッチ情報取得部１０３は、パネル１０１に対するユーザの複数のタッチ位置を取得し、
　指１、指２、指３がそれぞれタッチ位置ｘ１、ｘ２、ｘ３で検出されているとき、タッチ数が３であるから、順序入力判定部１０５は、設定情報記憶部１０４に記憶されている設定情報（図３）から、再生設定についての入力であると判定し、
　　指２を一旦パネル１０１から離し、所定の時間内（例えば２００ｍｓ以内）に再度パネル１０１にタッチする入力を行うと、
　　このとき、指１および指３によるタッチ位置ｘ１およびｘ３が継続して検出されている状態から、指２による別のタッチ位置ｘ２が検出されることになり、検出順序はｘ２のタッチ位置が最新となり、
　　タッチ位置ｘ１、ｘ２、ｘ３の順序関係は、ｘ１＜ｘ２＜ｘ３であり、ユーザによる指２によるタップ入力は最新の検出順序のタッチ位置ｘ２で、第２順序のタッチ位置となり、
　　設定情報記憶部１０４に記憶されている「再生／一時停止」の入力項目が選択されたと判定し、
　また、指１、指２、指３がそれぞれタッチ位置ｘ１、ｘ２、ｘ３で検出されているとき、タッチ数が３であるから、順序入力判定部１０５は、設定情報記憶部１０４に記憶されている設定情報から、再生設定についての入力であると判定し、
　　指１を一旦パネル１０１から離し、所定の時間内（例えば２００ｍｓ以内）に再度パネル１０１にタッチするタップ入力を行うと、
　　このとき、指２および指３によるタッチ位置ｘ２およびｘ３が継続して検出されている状態から、指１による別のタッチ位置ｘ１が検出されることになり、検出順序はｘ１のタッチ位置が最新となり、
　　タッチ位置ｘ１、ｘ２、ｘ３の順序関係は、ｘ１＜ｘ２＜ｘ３となり、ユーザによる指１によるタップ入力は最新の検出順序のタッチ位置ｘ１で、第１順序のタッチ位置となり、
　　設定情報記憶部１０４に記憶されている「巻戻し」の入力項目が選択されたと判定し、
　また、指１、指２、指３がそれぞれタッチ位置ｘ１、ｘ２、ｘ３で検出されているとき、タッチ数が３であるから、順序入力判定部１０５は、設定情報記憶部１０４に記憶されている設定情報から、再生設定についての入力であると判定し、
　　指３を一旦パネル１０１から離し、所定の時間内（例えば２００ｍｓ以内）に再度パネル１０１にタッチするタップ入力を行うと、
　　このとき、指１および指２によるタッチ位置ｘ１およびｘ２が継続して検出されている状態から、指３による別のタッチ位置ｘ３が検出されることになり検出順序はｘ３のタッチ位置が最新となり、
　　タッチ位置ｘ１、ｘ２、ｘ３の順序関係は、ｘ１＜ｘ２＜ｘ３となり、ユーザによる指３によるタップ入力は最新の検出順序のタッチ位置ｘ３で、第３順序のタッチ位置となり、
　　設定情報記憶部１０４に記憶されている「早送り」の入力項目が選択されたと判定し、
　また、順序入力判定部１０５により、指２による第２順序のタッチ位置ｘ２による入力項目である「再生／一時停止」が選択されたとき、再生と一時停止は交互に設定、すなわち、現在の設定値が１（再生）であれば２（一時停止）に、設定値が２（一時停止）であれば１（再生）に設定値を設定する、電子機器１０。」
２．引用文献２
　原査定の拒絶理由に引用された引用文献２には、図面とともに次の事項が記載されている。
「【００１９】
　そして、一覧表示用の１つのサムネイル動画像Ａ２が図３（Ｂ）に示すように指Ｙによりタッチ操作され、その後、指Ｙが離されると、つまりタップされると、音声については、タッチされたサムネイル動画像Ａ２に対応する動画像データの音声を出力し、表示画面については、以下のようなものを出力する。すなわち、表示画面としては、サムネイル動画像Ａ１〜Ａ４による一覧表示画面であって、タッチ操作されたサムネイル動画像Ａ２のタッチ操作前の内容とタッチ操作中の内容とタッチ操作後の内容が連続するような画面を出力する。これらの点に関しては従来と同様であるが、携帯端末装置１では、従来のものとは異なり、
タッチ操作が検出されているサムネイル動画像Ａ２（図３（Ｂ）参照）については、当該タッチ操作が検出されている間は、再生制御に関わる処理量の少ない少処理再生制御、例えば、動画再生を一時停止する制御を行う。
３．引用文献３
　原査定の拒絶理由に引用された引用文献３には、図面とともに次の事項が記載されている。
「【００４０】
　次に、ステップＳ２０４では、システム制御部１２８は、サムネイルが選択されている状態で、ユーザによるタッチ入力部１０７に対するダブルクリックを検出したか否かを判定する。ダブルクリックを検出するまで待機し、検出した場合、ステップＳ２０５に処理を進める。
　次に、ステップＳ２０５では、システム制御部１２８は、ビデオ制御部１２４及び記録再生部１２５により、選択されているサムネイルに対応する画像ファイルを再生させる。また、システム制御部１２８は、画像ファイルを表示画面１０３に再生すると共に、早送りアイコン及び巻き戻しアイコンを表示する。
　・・・中略・・・
【００４２】
　ステップＳ２０７では、システム制御部１２８は、タッチ入力部１０７に対するダブルクリックを検出すると、画像ファイルの再生を停止して、再びサムネイルを表示画面１０３に表示する。
　ステップＳ２０８では、
システム制御部１２８は、タッチ入力部１０７に対するタッチを検出すると、画像ファイルの再生を一時停止する。また、画像ファイルの再生が一時停止されているときに、タッチを検出すると、再び画像ファイルを再生する。
　ステップＳ２０９では、システム制御部１２８は、タッチ入力部１０７に対するスライドを検出すると、スライド方向に応じて、画像ファイルを早送りしたり、巻き戻したりする。」
第５　対比・判断
１．本願発明１について
（１）対比
　本願発明１と引用発明とを対比する。
（ア）引用発明の「パネル１０１」は、本願発明１の「タッチパネル」に相当し、引用発明の「パネル１０１に対するユーザの複数のタッチ位置を取得」する「タッチ情報取得部１０３」は、本願発明１の「タッチパネルに対するユーザの接触操作による接触位置の数が複数であるか否かを判別する判別手段」に相当するといえる。
（イ）引用発明の「指１、指２、指３がそれぞれタッチ位置ｘ１、ｘ２、ｘ３で検出されているとき、タッチ数が３であるから、順序入力判定部１０５は、設定情報記憶部１０４に記憶されている設定情報から、再生設定についての入力であると判定し、指１を一旦パネル１０１から離し、所定の時間内（例えば２００ｍｓ以内）に再度パネル１０１にタッチするタップ入力を行うと、指２および指３によるタッチ位置ｘ２およびｘ３が継続して検出されている状態から、指１による別のタッチ位置ｘ１が検出されることになり、検出順序はｘ１のタッチ位置が最新となり、タッチ位置ｘ１、ｘ２、ｘ３の順序関係は、ｘ１＜ｘ２＜ｘ３となり、ユーザによる指１によるタップ入力は最新の検出順序のタッチ位置ｘ１で、第１順序のタッチ位置となり、設定情報記憶部１０４に記憶されている「巻戻し」の入力項目が選択されたと判定し」、「指１、指２、指３がそれぞれタッチ位置ｘ１、ｘ２、ｘ３で検出されているとき、タッチ数が３であるから、順序入力判定部１０５は、設定情報記憶部１０４に記憶されている設定情報から、再生設定についての入力であると判定し、指３を一旦パネル１０１から離し、所定の時間内（例えば２００ｍｓ以内）に再度パネル１０１にタッチするタップ入力を行うと、指１および指２によるタッチ位置ｘ１およびｘ２が継続して検出されている状態から、指３による別のタッチ位置ｘ３が検出されることになり検出順序はｘ３のタッチ位置が最新となり、タッチ位置ｘ１、ｘ２、ｘ３の順序関係は、ｘ１＜ｘ２＜ｘ３となり、ユーザによる指３によるタップ入力は最新の検出順序のタッチ位置ｘ３で、第３順序のタッチ位置となり、設定情報記憶部１０４に記憶されている「早送り」の入力項目が選択されたと判定」する「順序入力判定部１０５」は、本願発明１の「前記判別手段により接触位置の数が複数であると判別された時点で、前記自動切替え表示を一時停止した後、当該複数の接触位置のうちの何れかの接触位置における、接触状態を一旦解除してから接触状態に戻す接触操作に基づいて、前記切替え表示を制御する制御手段」と「前記判別手段により接触位置の数が複数であると判別された後、当該複数の接触位置のうちの何れかの接触位置における、接触状態を一旦解除してから接触状態に戻す接触操作に基づいて、前記切替え表示を制御する制御手段」である点では共通するといえる。
（ウ）上記（イ）に加え、引用発明の「順序入力判定部１０５」の「ユーザによる指１によるタップ入力は最新の検出順序のタッチ位置ｘ１で、第１順序のタッチ位置となり、設定情報記憶部１０４に記憶されている「巻戻し」の入力項目が選択されたと判定し」、「ユーザによる指３によるタップ入力は最新の検出順序のタッチ位置ｘ３で、第３順序のタッチ位置となり、設定情報記憶部１０４に記憶されている「早送り」の入力項目が選択されたと判定」する構成は、タッチ位置ｘ１、タッチ位置ｘ３はｙ座標が任意であって複数の領域といえるから、本願発明１の「制御手段は更に、前記接触状態を一旦解除してから接触状態に戻す接触操作が、前記タッチパネルに設定された複数の領域のいずれの領域で行われたかに基づいて、前記切替え表示の内容が異なるように制御する」構成に相当するといえる。
（エ）引用発明の「モニタ１１０に表示される映像コンテンツ１１１を再生制御する電子機器１０」は、後述する相違点を除いて、本願発明１の「タッチパネルに対するユーザによる接触操作に基づいて、表示手段に表示されている画像を自動で他の画像に切替える切替え表示を行う表示装置」に相当するといえる。
　
　したがって、本願発明１と引用発明との間には、以下の一致点及び相違点があるといえる。
（一致点）
「タッチパネルに対するユーザによる接触操作に基づいて、表示手段に表示されている画像を自動で他の画像に切替える切替え表示を行う表示装置であって、
　前記タッチパネルに対するユーザの接触操作による接触位置の数が複数であるか否かを判別する判別手段と、
　前記判別手段により接触位置の数が複数であると判別された後、当該複数の接触位置のうちの何れかの接触位置における、接触状態を一旦解除してから接触状態に戻す接触操作に基づいて、前記切替え表示を制御する制御手段と、
　を備え、
　前記制御手段は更に、前記接触状態を一旦解除してから接触状態に戻す接触操作が、前記タッチパネルに設定された複数の領域のいずれの領域で行われたかに基づいて、前記切替え表示の内容が異なるように制御することを特徴とする表示装置。」
（相違点）
　本願発明１では、判別手段により接触位置の数が複数であると判別された時点で、「前記自動切替え表示を一時停止した後、」に当該複数の接触位置のうちの何れかの接触位置における、接触状態を一旦解除してから接触状態に戻す接触操作に基づいて、前記切替え表示を制御するのに対し、引用発明では、タッチ位置ｘ１、ｘ２、ｘ３で検出されているとき、タッチ数が３であるから、順序入力判定部１０５は、設定情報記憶部１０４に記憶されている設定情報から、「再生設定についての入力であると判定した」後、当該複数のタッチ位置のうちの何れかのタッチ位置における、接触状態を一旦解除してから接触状態に戻す接触操作に基づいて、自動切替え表示を制御するものである点。
（２）判断
　上記相違点について検討する。
　引用文献２には、「タッチ操作が検出されているサムネイル動画像Ａ２（図３（Ｂ）参照）については、当該タッチ操作が検出されている間は、再生制御に関わる処理量の少ない少処理再生制御、例えば、動画再生を一時停止する制御を行う。」ことが記載されており、また、引用文献３には、「ユーザによるタッチ入力部１０７に対するダブルクリックを検出した場合、選択されているサムネイルに対応する画像ファイルを再生させ、タッチ入力部１０７に対するタッチを検出すると、画像ファイルの再生を一時停止し、画像ファイルの再生が一時停止されているときに、タッチを検出すると、再び画像ファイルを再生する。」ことが記載されており、動画再生時にタッチを検出をすると動画再生が一時停止するという技術的事項は、本願出願日前に周知技術であったといえる。
　一方、引用発明において、「指１、指２、指３がそれぞれタッチ位置ｘ１、ｘ２、ｘ３で検出されているとき、」「指２を一旦パネル１０１から離し、所定の時間内（例えば２００ｍｓ以内）に再度パネル１０１にタッチする入力を行う」と「「再生／一時停止」の入力」が交互に選択されるものであるから、上記「動画再生時にタッチを検出をすると動画再生が一時停止する」という周知技術を採用する必要性はなく、仮に当該周知技術を適用するとしても、引用発明の「タッチ位置ｘ１、ｘ２、ｘ３で検出されているとき、タッチ数が３であるから、再生設定についての入力であると判定し」た時点において、当該周知技術を適用しようとする動機付けを見出すことはできず、「接触位置の数が複数であると判別された時点で、自動切替え表示を一時停止した後、当該複数の接触位置のうちの何れかの接触位置における、接触状態を一旦解除してから接触状態に戻す接触操作に基づいて、切替え表示を制御する」という上記相違点に係る本願発明１の構成を、当業者が容易に想到し得たと認めることはできない。
　また、上記相違点に係る本願発明１の構成が、本願出願日前に周知技術であったともいえない。
　したがって、本願発明１は、当業者であっても、引用発明に基づいて容易に発明をすることができたとはいえない。
２．本願発明２について
　本願発明２は、上記相違点に係る本願発明１と同じ構成を備えるものであるから、本願発明１と同様の理由により、当業者であっても、引用発明に基づいて容易に発明できたものとはいえない。
３．本願発明３、４について
　本願発明３、４は、上記相違点に係る本願発明１の構成と同様の構成を備えるものであるから、本願発明１と同様の理由により、当業者であっても、引用発明に基づいて容易に発明できたものとはいえない。
第６　むすび
　以上のとおり、原査定の理由によっては、本願を拒絶することはできない。
　また、他に本願を拒絶すべき理由を発見しない。
　よって、結論のとおり審決する。